(57)【要約】【課題】無線通信の方法を提供すること。【解決手段】本方法は、第１の音声フレームから少なくとも第１のサブフレームを送信する工程を含む。もしも第１のサブフレームが無線ユニットによって受信されると応答メッセージが送信され、その音声フレームから由来する残りのサブフレームは送信されない。しかしながら、もしも第１のサブフレームが無線ユニットによって受信されなければ、非応答メッセージが送信される。ここで、基地局が第１の音声フレームから少なくとも別のサブフレームを再送する。【選択図】図１
2004343754.tif 000002
【特許請求の範囲】
【請求項１】
無線通信の方法であって、
第１の音声フレームから少なくとも第１のサブフレームを送信する工程、および
非応答メッセージの受信に呼応して第１の音声フレームから少なくとも該第１のサブフレームを再送する工程からなる方法。
【請求項２】
第２のサブフレームが、該第１のサブフレームの複製と冗長情報のうちの少なくとも１つからなる、請求項１に記載の方法。
【請求項３】
該第１の音声フレームから第１の複数のサブフレームを形成する工程からなり、該第１の複数が該第１及び該第２のサブフレームからなり、該第１の複数のサブフレームを形成する工程が、
該第１の音声フレームを符号化する工程、
該符号化された第１の音声フレームを該第１の複数のサブフレームに分割する工程、
該第１の複数のサブフレームを独立してインタリーブする工程、および
応答メッセージの受信に呼応して該第１の複数から由来するいかなる残りのサブフレームの送信も終了する工程からなる請求項１または２に記載の方法。
【請求項４】
さらに、応答メッセージの受信とタイムアウト状況のうちの少なくとも１つに呼応して別の音声フレームから少なくとも別のサブフレームを送信する工程からなる請求項１、２または３に記載の方法。
【請求項５】
該第１の複数のサブフレームのうちの１つの受信に呼応して該応答メッセージが受信され、かつ
該別の音声フレームから該少なくとも別の複数のサブフレームを形成する工程からなり、該別の複数のサブフレームを形成する工程が
該第１の音声フレームを符号化する工程、および
該符号化された第１の音声フレームを該第１の複数のサブフレームに分割する工程からなる請求項４に記載の方法。
【請求項６】
無線通信の方法であって、
第１の音声フレームから形成された第１の複数のサブフレームのうちの第１のサブフレームの受信に呼応して応答メッセージを送信する工程、
該少なくとも第１のサブフレームを受信することの失敗に呼応して非応答メッセージを送信する工程、
非応答メッセージの送信に呼応して第１の複数のうちの少なくとも第２のサブフレームを受信する工程、および
該第１の複数のうちの該第１のサブフレームと第２のサブフレームを組み合わせることによって該第１の音声フレームを解読する工程からなる方法。
【請求項７】
該第１の複数のうちの該第２のサブフレームが該第１のサブフレームの複製と冗長情報のうちの少なくとも１つからなる請求項６に記載の方法。
【請求項８】
該第１の複数のサブフレームが、該第１の音声フレームを符号化し、かつ該符号化された第１の音声フレームを第１の複数のサブフレームに分割することによって形成される、請求項６または７に記載の方法。
【請求項９】
さらに、応答メッセージの受信に呼応して別の音声フレームから別の複数のうちの少なくとも別のサブフレームを受信する工程、および
応答メッセージの送信に呼応して該第１の複数のうちのいかなる残りのサブフレームの受信も終了する工程をからなる請求項６、７または８に記載の方法。
【請求項１０】
無線通信の方法であって、
音声フレームから複数のサブフレームを形成する工程を含み、該複数のサブフレームを形成する工程が、
該第１の音声フレームを符号化する工程、
該符号化された第１の音声フレームを該第１の複数のサブフレームに分割する工程、および
該第１の複数のサブフレームを独立してインタリーブする工程からなる方法。
【発明の詳細な説明】
【技術分野】
【０００１】
本発明は電気通信に関し、特に無線通信に関する。
【背景技術】
【０００２】
無線通信システムは或る地理的領域内に位置するいくつかの無線もしくは移動局のユニットに無線サービスを提供する。無線通信システムによってサポートされる地理的領域は普通では「セル」と称される空間的に別個の領域に分割される。理想的には、各々のセルはハニカム・パターンの六角形で代表されることが可能である。しかしながら、実際では各々のセルはセルを取り巻く地形地勢を含む様々な要因に応じて不規則な形状を有する可能性がある。さらに、各々のセルは２つまたはそれを超えるセクタへとさらに分割される。普通、各々のセルは３つのセクタへと分割され、例えば各々が１２０度の範囲を有する。
【０００３】
従来のセルラ・システムは無線もしくは移動局のユニットへの、およびそれらからの通信信号の送信および受信をサポートするように地理的に配分されたいくつかのセル・サイトまたは基地局を含む。各々のセル・サイトはセル内の音声通信を扱う。さらに、セルラ・システムに関する全体的カバレージ・エリアはすべてのセル・サイトについてセルの組合によって規定される可能性があり、そこでは、おそらくシステムのカバレージ・エリアの外側境界内で隣接通信カバレージを確実化するために隣り合ったセル・サイトに関するカバレージ・エリアは重複する。
【０００４】
各々の基地局はそのセル内の無線ユニットと通信するための少なくとも１つの無線装置と少なくとも１つのアンテナを有する。さらに、各々の基地局もやはり移動交換センタ（「ＭＳＣ」）と通信するための送信設備を有する。移動交換センタは、とりわけ、無線ユニット間、公衆交換電話網（「ＰＳＴＮ」）を通した無線ユニットと回線の間、ならびに無線ユニットとインターネットのようなパケット・データ・ネットワーク（「ＰＤＮ」）の間の呼び出しの確立および維持を担う。基地局コントローラ（「ＢＳＣ」）は１つまたは複数の基地局について無線リソースを管理し、この情報をＭＳＣへと中継する。
【０００５】
動作時では、無線ユニットは順方向リンクもしくはダウンリンク上で少なくとも１つの基地局もしくはセル・サイトから信号を受信し、逆方向リンクもしくはアップリンク上で少なくとも１つのセル・サイトもしくは基地局へと信号を送信する。セルラ通信システムについて無線リンクもしくはチャネルを規定するための多くの異なる仕組みが存在する。例えば、これらの仕組みには時分割多重接続方式（「ＴＤＭＡ」）、周波数分割多重接続方式（「ＦＤＭＡ」）、および符号分割多重接続方式（「ＣＤＭＡ」）タイプの設計が含まれる。
【０００６】
ＣＤＭＡの仕組みでは、各々の無線チャネルは様々な情報ストリームを符号化するのに使用される別個のチャネル化符号（例えば拡散符号、スペクトル拡散符号またはウォルシュ符号）によって識別される。その後、これらの情報チャネルは同時送信のために１つまたは複数の搬送周波数で変調される可能性がある。受信信号を解読するために適切なウォルシュ符号を使用して受信機が受信信号から特定のストリームを回収することが可能である。
【０００７】
無線通信システムは地理的に配分されたいくつかのセルラ通信サイトもしくは基地局を使用する。各々の基地局は定常性もしくは固定の無線通信装置もしくはユニットへの、またはそれらからの通信信号の送信または受信をサポートする。各々の基地局は普通ではセル／セクタと称される特定の領域上で通信を取り扱う。無線通信システムに関する全体的なカバレージ・エリアは配備された基地局に関するセルの組合によって規定される。ここで、隣接するかまたは付近にあるセル・サイトに関するカバレージ・エリアは、おそらくシステムの外側境界内で隣接通信カバレージを確実化するために互いに重複する可能性がある。
【０００８】
動作時では、無線ユニットは順方向リンクもしくはダウンリンク上で少なくとも１つの基地局から信号を受信し、逆方向リンクもしくはアップリンク上で少なくとも１つの基地局へと信号を送信する。例えばＴＤＭＡ（時分割多重接続方式）、およびＣＤＭＡ（符号分割多重接続方式）を含むセルラ通信システム内でリンクもしくはチャネルを規定するためにいくつかの取り組み方が開発されてきた。
【０００９】
ＴＤＭＡ通信システムでは、電波スペクトルがタイムスロットの中に分割される。各々のタイムスロットは１人のユーザだけが送信および／または受信することを許容する。したがって、ＴＤＭＡは各々のユーザがその割り当て時間の間にその情報を送信できるように送信機と受信機の間の正確なタイミングを必要とする。
【００１０】
ＣＤＭＡ通信システムでは、様々な無線チャネルは様々なチャネル化符号群もしくは系列によって識別される。これらの別個のチャネル化符号群は多様な情報ストリームを符号化するのに使用され、その後、それは同時送信のために１つまたは複数の異なる搬送波周波数で変調されることが可能である。受信信号を解読するために適切符号もしくは系列を使用して受信機が受信信号から特定のストリームを回収することが可能である。
【００１１】
音声用途については、従来のセルラ通信システムは無線ユニットと基地局の間で専用のリンクを使用する。音声通信は、性質上、遅延を許されない。その結果、無線セルラ通信システム内の無線ユニットは１つまたは複数の専用リンク上で信号を送信および受信する。ここでは、各々の稼動中の無線ユニットは概してダウンリンク上の専用のリンク、ならびにアップリンク上の専用のリンクの割り当てを必要とする。
【発明の開示】
【発明が解決しようとする課題】
【００１２】
しかしながら、無線電話の急増と共に、セルラ・サービス・プロバイダに関して増大する関心事は音声品質になってきた。無線ユーザの数が盛大になり続けてきたので、増大する音声容量によるシステムへの要求が、音声品質の低下を各ユーザが被ることを余儀なくさせてきた。本開示の目的に関すると、音声容量への言及はまた、例えばビデオのような音声に類似した回線交換サービスも含む。さらに、増え続ける無線ユーザをサポートするために音声容量が拡張されるので、例えば単一のセクタ内のこれらのユーザ間のアップリンクの妨害を含む追加的な懸案もやはり表面化する可能性がある。したがって、音声品質と音声容量の間に交換条件が存在する。
その結果、基地局の音声容量に過度に影響を与えずに音声品質を上げる必要性が存在する。
【課題を解決するための手段】
【００１３】
本発明は基地局の音声容量に過度に影響を与えずに音声品質を上げる方法を提供する。さらに特定すると、本発明は、いくつかのサブフレームを使用することによって１つまたは複数の音声フレームを再送する方法を提供する。本発明の背景の中で、各音声フレームは複数のサブフレームを含むことが可能である。本発明の方法がアップリンクとダウンリンクの両方で応用可能であることに留意すべきである。
【００１４】
本発明の範例の一実施形態では、第１の音声フレームから形成された複数のサブフレームのうちの少なくとも第１のサブフレームが送信される可能性がある。もしも第１のサブフレームの送信に応答する応答メッセージが受信されると、第１の複数から由来するいかなる残りのサブフレームの送信も終了されることが可能となる。もしも第１のサブフレームの送信に呼応して非応答メッセージが受信されると、第２のサブフレームが送信される。第２のサブフレームは第１のサブフレームの複製および／または冗長情報を含むことが可能である。その後、別の音声フレームから由来する別のサブフレームが送信されることが可能となる。この別のサブフレームは、第１の音声フレームに対応した応答メッセージの受信および／またはタイムアウトに呼応して送信される可能性がある。本開示の目的に関すると、もしも音声フレームと連絡する再送の仕組みが時間間隔の通過によって機能しなくなるとタイムアウトが発生する。
【００１５】
本発明のまた別の範例の実施形態では、複数のサブフレームが音声フレームから形成されることが可能である。ここでは、音声フレームが符号化される可能性がある。その後、符号化された音声フレームがいくつかのサブフレームに分割されることが可能である。その後、これらのサブフレームが独立してインタリーブされることが可能である。
【００１６】
本発明のまた別の範例の実施形態では、第１の音声フレームから形成された第１の複数のサブフレームのうちの第１のサブフレームの受信に呼応して応答メッセージが送信されることが可能である。もしも応答メッセージが送信されると、第１の複数のうちの残りのサブフレームは受信されなくてもよい。しかしながら、もしも第１のサブフレームが受信されなければ、非応答メッセージが送信されることが可能となる。非応答メッセージの送信に呼応して第１の複数のうちの第２のサブフレームが受信されてもよい。その結果、第１の複数のうちの第１のサブフレームと第２のサブフレームを組み合わせることによって第１の音声フレームが解読されることが可能である。その後、別の音声フレームから由来する別の複数のうちの別のサブフレームが受信されてもよい。
【００１７】
本発明のまた別の範例の実施形態では、第１の音声フレームから由来する少なくとも第１のサブフレームが基地局によって送信される。もしも第１のサブフレームが無線ユニットによって受信されると、応答メッセージが送信されることが可能となる。その結果、その音声フレームから由来する残りのサブフレームは送信されなくてもよい。しかしながら、もしも第１のサブフレームが無線ユニットによって受信されない場合、非応答メッセージが送信される。その後、基地局は第１の音声フレームから由来する少なくとももう１つのサブフレームを送信することが可能である。
これらおよびその他の実施形態は、添付の特許請求項および図面と関連させて読まれる以下の詳細説明から当業者に明らかになるであろう。
【発明を実施するための最良の形態】
【００１８】
本発明は、添付の図面を参照しながら非限定的な実施形態の以下の説明を読むことからさらによく理解されるであろう。
簡単な応用例の図面が縮尺を決めたものではなくて単に概略の表現であり、したがって本発明の特定の寸法を描写することを意図しておらず、それらはここにある開示を試験することを通じて当業者によって決定されることが可能であることは強調されるべきである。
【００１９】
ＣＤＭＡに準拠した技術を使用する現在の無線システムでは、音声フレームの送信時間は時間の間隔で固定されることが可能である。例えば、ＣＤＭＡ２０００  １ｘでは、音声フレームの送信時間は２０ｍｓであることが可能である。フルレート、ハーフ（１／２）レート、クォータ（１／４）レート，８分の１（１／８）レートのフレームが間隔毎に、例えば２０ｍｓ毎にダウンリンク上とアップリンク上の両方で送信されることが可能である。その結果、音声品質の譲歩を避けるために低いフレーム誤り率（「ＦＥＲ」）が目標にされる（例えば１％ＦＥＲ）。
【００２０】
無線のスペクトル拡散型システムの容量は無線周波数（「ＲＦ」）制限性であることが可能である。例えば、数多くのユーザの存在下では１％の低いＦＥＲは保証されない可能性がある。ここでは、ＣＤＭＡに準拠した技術を使用するアップリンクの非直交性の性質のせいでアップリンク上のユーザは互いに妨害し合う可能性がある。このＲＦ制限性はダウンリンク上でもやはり生じる可能性があり、その理由は、例えば、基地局で１％の低いＦＥＲを有する（複数）ユーザまで到達するのに充分な電力を利用できないからである。したがって、システムの音声容量は大幅に制限される可能性がある。
【００２１】
以上の観点から、本発明は基地局の音声容量に過度の影響を与えることなく音声品質を上げる方法を提供する。さらに特定すると、本発明は、例えばアップリンク上および／またはダウンリンク上で使用される可能性のある各音声フレームについて再送する方法を提供する。本発明の背景の中で、各音声フレームはいくつかのサブフレームを含むことが可能である。本方法は、例えば、もしも最初のサブフレームが受信されなければ音声フレーム内でそれに続くサブフレームを送信する（例えば再送する）工程を含むことが可能である。最初のサブフレームの受信は応答メッセージ（群）（「ＡＣＫ」）または非応答メッセージ（群）（「ＮＡＣＫ」）の送信によって判定されることが可能である。その結果、ここで列挙したＲＦ制限性は、例えば自動再送要求（「ＡＲＱ」）もしくはハイブリッドＡＲＱといった単純なリアルタイムの再送の仕組みの使用を可能にすることによって克服されることが可能である。結果として、本方法は、例えば１％よりも高いＦＥＲの最初の送信を目標にすることをサポートする。
【００２２】
本発明はハイブリッドＡＲＱのようなリアルタイムの再送の仕組みを提供する。それを行なう中で、本方法は向上された音声品質を基地局内の利用可能な電力の効率的な利用から促進する。さらに、本方法は低減されたセル間およびセル内の干渉を促進し、それによってシステムの容量をさらに高める。
【００２３】
本発明の一実施形態では、本方法は第１の音声フレームから形成された複数のサブフレームのうちの少なくとも第１のサブフレームを送信する工程を含む。もしも第１のサブフレームの送信に呼応して応答メッセージ（「ＡＣＫ」）が受信されれば、第１の複数から由来するいかなる残りのサブフレームの送信も終了されることが可能である。もしも第１のサブフレームの送信に呼応して非応答メッセージ（「ＮＡＣＫ」）が受信されれば、第２のサブフレームが送信（例えば再送）される。第２のサブフレームは第１のサブフレームの複製および／または冗長情報を含むことが可能である。
【００２４】
いったん第１の音声フレームが送信され、再送され、受信されるかまたは受信されないと、別の音声フレームから由来する別のサブフレームが引き続いて送信されることが可能である。別の音声フレームから由来するこの引き続きのサブフレームはＡＣＫの受信に呼応して送信されてもよい。このＡＣＫメッセージは第１の音声フレームおよび／または第１の音声フレームの再送に伴なうタイムアウトと連絡していてもよい。本開示の目的に関すると、もしも音声フレームと連絡する再送の仕組みが時間間隔の通過によって機能しなくなるとタイムアウトが発生する。
【００２５】
本発明のまた別の実施形態では、本方法は音声フレームから複数のサブフレームを形成する工程を含む。ここでは、音声フレームは最初に符号化されることが可能である。その後、符号化された音声フレームはいくつかのサブフレームに分割されることが可能である。その後、これらのサブフレームが独立してインタリーブされることが可能である。
【００２６】
本発明のまた別の実施形態では、本方法は第１の音声フレームから形成された第１の複数のサブフレームのうちの第１のサブフレームの受信に呼応して応答（「ＡＣＫ」）メッセージを送信する工程を含む。もしもＡＣＫメッセージが送信されれば、第１の複数のうちの残りのサブフレームの受信が終了されなくてもよい。しかしながら、もしも第１のサブフレームが受信されなければ、非応答（「ＮＡＣＫ」）メッセージが送信されることが可能である。ＮＡＣＫメッセージの送信に呼応して、第１の複数のうちの第２のサブフレームが受信されることが可能である。その結果、第１の複数のうちの第１のサブフレームと第２のサブフレームを組み合わせることによって第１の音声フレームが解読されることが可能である。
【００２７】
いったん第１の音声フレームが送信され、再送され、受信されるかまたは受信されないと、別の音声フレームから由来する別のサブフレームが引き続いて送信されることが可能である。別の音声フレームから由来するこの引き続きのサブフレームはＡＣＫメッセージの受信に呼応して送信されてもよい。このＡＣＫメッセージは第１の音声フレームおよび／または第１の音声フレームの再送に伴なうタイムアウトと連絡していてもよい。本開示の目的に関すると、もしも音声フレームと連絡する再送の仕組みが時間間隔の通過によって機能しなくなるとタイムアウトが発生する。
【００２８】
本発明のまた別の実施形態では、本方法は基地局によって第１の音声フレームから少なくとも第１のサブフレームを送信する工程を含む。もしも第１のサブフレームが無線ユニットによって受信されれば、ＡＣＫメッセージが送信されることが可能である。その結果、その音声フレームから由来する残りのサブフレームは送信されなくてもよい。しかしながら、もしも第１のサブフレームが無線ユニットによって受信されなければ、ＮＡＣＫメッセージが送信される。その後、基地局は第１の音声フレームから少なくとももう１つのサブフレームを送信（例えば再送）することが可能である。
【００２９】
図１を参照すると、本発明の一実施形態の再送の仕組みが示されている。さらに特定すると、図１はダウンリンク用のハイブリッドＡＲＱの動作を描いている。各々の範例の音声フレームは、ＣＤＭＡ２０００  １ｘによってサポートされるように２０ｍｓに設定され、かつ４つの５ｍｓのサブフレームに分割されることが可能である。ここでは、２人のユーザが時間多重化様式の同じウォルシュ符号によって同じフレームを共有することが可能である。
【００３０】
図１に例示した実施形態では、第１のユーザが最初に描かれた５ｍｓのサブフレーム内にその最初のサブフレームを送信することが可能である。同様に、第２のユーザは２番目に描かれた５ｍｓのサブフレーム内にその最初のサブフレームを送信することが可能である。最初のサブフレームを送信した後に、第１と第２のユーザの両方が受信機からのＡＣＫ／ＮＡＣＫフィードバックを待ち受ける。もしもＡＣＫが受信されると、第２のサブフレームは送信されなくてもよい（例えばＤＴＸされる）。図１の範例では、第１のユーザはＮＡＣＫを受信し、したがって３番目の５ｍｓのサブフレームにサブフレームを再送する。対照的に、第２のユーザはＡＣＫを受信してＤＴＸされる（例えば２番目のサブフレームの再送は途中停止されることが可能である）。
【００３１】
ＨＡＲＱのようなダウンリンクの再送の仕組みについては、ＡＣＫ／ＮＡＣＫフィードバックは送信電力制御（「ＴＰＣ」）ビットを流用することによって供給されることが可能である。例えば、２０ｍｓの間隔毎に１もしくは２ビットを流用することがシステムの電力制御に与える影響は無視できる程度であることが可能である。ＡＣＫを受信する稼動中のセットの中のすべてのセクタが第２のサブフレーム送信を受信しなくてもよい（例えばＤＴＸされる）ことに留意すべきである。本開示の目的に関すると、稼動中のセットは各々のユーザがそれでもって同時に通信していることが可能である（複数）セクタで構成されることが可能である。
【００３２】
図２を参照すると、本発明の一実施形態の再送の仕組みが示されている。さらに特定すると、図２はアップリンク用のハイブリッドＡＲＱの動作を描いている。アップリンクの方向では、ウォルシュ符号が複数ユーザにわたって共有されることはない。例えば、２０ｍｓのフレームは２つの７．５ｍｓフレームと１つの５ｍｓサブフレーム・ギャップに分割されることが可能である。ここでは、もしも基地局からＮＡＣＫを受信すると、ユーザは２番目のサブフレーム内に再送することが可能である。
【００３３】
ＲＬ  ＨＡＲＱ動作については、ＡＣＫ／ＮＡＣＫフィードバックは、例えば共通の電力制御チャネル（「ＣＰＣＣＨ」）といったチャネルを通じてＦＬ上に供給されることが可能である。多様なユーザが範例のＣＰＣＣＨスロット内で多様なビット位置に割り当てられることが可能である。ここではＡＣＫ／ＮＡＣＫフィードバックを供給するのに使用されるＴＰＣビットを流用することもやはり可能である。例えば、２０ｍｓの間隔毎に１もしくは２ビットを流用することがシステムの電力制御に与える影響は無視できる程度であることが可能である。シンプレックス状況（例えば単一セクタと通信中）にあるユーザが利用中のセルから受けるＡＣＫを解読することが可能であり、その一方でソフトハンドオフ状況（「ＳＨＯ」）にあるユーザが稼動中のセット内の全セクタから受けるＡＣＫ信号を解読するように試みることが可能である。もしも少なくとも１つのセクタが確実に第１のサブフレームを認識すれば、２番目のサブフレーム送信は送信されなくてもよい（例えばＤＴＸされる）。
【００３４】
図３に示したように、多様なユーザから由来する送信は整数のスロットによってオフセット処理されることが可能である。これは多様なユーザから入るサブフレームの重複の回避を可能にし、２番目のサブフレームをＤＴＸすることから由来する恩典を最大限にする。ダウンリンク上の２番目のサブフレームでＤＴＸすることが、他のユーザが利用可能な基地局の電力区分（例えばＥｃ／Ｉｏｒ）をさらに大きくすることが可能であり、その一方でアップリンク上でＤＴＸすることがセル内およびセル間の干渉を低減させることが可能であることもやはり留意すべきである。
【００３５】
リアルタイムの再送
本発明では、再送の試みの最大数は合計送信時間を制限するように限定されることが可能である。ここで述べた範例では、最大のフレーム回収時間は例えば２０ｍｓであることが可能である。
【００３６】
図４と５を参照すると、本発明の一実施形態のフローチャートと関連させて本発明の一態様が描かれている。図示したように、最初に音声フレームが符号化され、その後、第１のサブフレーム（＃１）と第２のサブフレーム（＃２）に分割される。その後、サブフレーム＃１と＃２は独立してインタリーブされる。引き続いて、送信機が最初にサブフレーム＃１を送り、その後、受信機からのＡＣＫ／ＮＡＣＫを待ち受ける。その後、ＮＡＣＫが受信される場合にのみ第２のサブフレームが送信される可能性がある。そのとき、受信機はサブフレーム＃１とサブフレーム＃２を組み合わせることによって音声フレームを解読することを試みることが可能である。解読動作を補助するために、サブフレーム＃２は冗長情報および／またはサブフレーム＃１の複製を含むことが可能である。
【００３７】
２０ｍｓのフエーム送信時間制限および２回のサブフレーム送信が本方法の範例の態様であることは留意されるべきである。これらの態様は単に具体的例示の目的のために使用されている。したがって、本方法の原理は２０ｍｓの送信時間以外のケース、ならびに２つを超えるサブフレームが使用されるケースに応用されることが可能である。
【００３８】
図６（ａ）と６（ｂ）にはそれぞれアップリンクとダウンリンクのハイブリッドＡＲＱに関する変調と符号化の表が示されている。アップリンク上の符号化率がサブフレーム＃１とサブフレーム＃２の両方で同じであってもよく、例えば第２のサブフレーム＃２が第１のサブフレーム＃１の正確な複製であってもよいことは留意されるべきである。しかしながら、ダウンリンクのハイブリッドＡＲＱについては、第２のサブフレームを受信後の符号化率がサブフレーム＃１で得られる符号化率と異なる可能性があり、例えば増分となる冗長のハイブリッドＡＲＱである。
【００３９】
アップリンクはウォルシュ符号制限性でなくてもよいので、さらに強固な変調および符号化が常に選択される可能性がある。これは、例えば長さ１６のウォルシュ符号を使用するアップリンクの結末である。しかしながら、ダウンリンク上では強固さで劣る変調および符号化が使用されることが可能であり、その理由は、図６（ｂ）に示したように、さらに大きな長さのウォルシュ符号が使用されるからである。
【００４０】
アップリンクの動作
アップリンク方向では、無線ユニットは最初に第１のサブフレームを送信する。その後、無線ユニットは稼動中のセット内の基地局から入るＡＣＫ／ＮＡＣＫフィードバック応答を待ち受ける。その後、図９に範例で描かれたように、すべての基地局からＮＡＣＫが受信される場合にのみ第２のサブフレームが送信される可能性がある。しかしながら、もしも少なくとも１つの基地局からＡＣＫが受信されれば、第２のサブフレームは送信されなくてもよい。この筋書きは図７と８に例示されている。無線ユニットが１つの基地局とのみ通信している状況では、ＡＣＫ／ＮＡＣＫフィードバックはこの単一の基地局から供給される。
【００４１】
ダウンリンクの動作
ダウンリンク方向では、サブフレームはユーザの稼動中のセット内のすべてのセクタから送信される可能性がある。各々のセクタが第１のサブフレームを送信し、その後、無線ユニットから入るＡＣＫ／ＮＡＣＫを待ち受ける可能性がある。その後、図１１の範例で示したように、ＮＡＣＫが無線ユニットから受信されれば、或るセクタが第２のサブフレームを送信する可能性がある。そうでなければ、ＡＣＫが受信されると第２のサブフレームは送信されなくてもよい。この筋書きは図１０に例示されている。
【００４２】
いくつかのセクタでＡＣＫをＮＡＣＫに誤るケースで、ＮＡＣＫを受信する基地局から第２のサブフレームが送信される可能性がある。この筋書きは図１２に例示されている。他方で、ＮＡＣＫをＡＣＫに誤るケースで、図１３に示したように、ＡＣＫを受信するから第２のサブフレームが送信されない可能性がある。しかしながら、もしもセクタのうちのＮＡＣＫをＡＣＫに誤ることをしないいくつかが第２のサブフレームを再送すれば、音声フレームはまだ順調に受信されることが可能である。具体的例示の実施形態を参照しながら特定の考案を説明してきたが、この説明は限定的な意味で解釈されることを示すものではない。本発明が説明されてきたが、具体例の実施形態の様々な改造ならびに本発明の追加的な実施形態が、この説明を参照する当業者にとって、ここに添付した特許請求項に引用されるような本発明の精神から逸脱することなく明らかになるであろうことは理解される。したがって、本方法、システムおよび説明した方法とシステムの一部が、無線ユニット、基地局コントローラおよび／または移動交換センタといった異なる状況で導入される可能性がある。さらに、説明したシステムを導入して使用するのに必要となる処理回路は、この開示の恩典を備えた当業者によって理解されるように、特定用途向け集積回路、ソフトウェア駆動型処理回路、ファームウェア、プログラム可能論理デバイス、ハードウェア、ディスクリート部品あるいは以上の部品の配列の中に導入される可能性がある。これらおよびその他の改造、配列および方法がここに例示して説明した範例の応用例に厳密に従わずに、かつ本発明の精神と範囲から逸脱することなく本発明に対して為され得ることは当業者によって容易に認識されるであろう。したがって、添付の特許請求項がいかなるそのような改造および実施形態も本発明の真の範囲内に入るものとして網羅することが考慮される。
【図面の簡単な説明】
【００４３】
【図１】本発明の一実施形態を示す図である。
【図２】本発明の別の実施形態を示す図である。
【図３】本発明の別の実施形態を示す図である。
【図４】本発明の一態様を示す図である。
【図５】本発明の一実施形態のフローチャートを示す図である。
【図６ａ】本発明の態様を具体的に示す表である。
【図６ｂ】本発明の態様を具体的に示す表である。
【図７】本発明の一態様を示す図である。
【図８】本発明の一態様を示す図である。
【図９】本発明の一態様を示す図である。
【図１０】本発明の一態様を示す図である。
【図１１】本発明の一態様を示す図である。
【図１２】本発明の一態様を示す図である。
【図１３】本発明の一態様を示す図である。
【図１】
2004343754.tif 000003
【図２】
2004343754.tif 000004
【図３】
2004343754.tif 000005
【図４】
2004343754.tif 000006
【図５】
2004343754.tif 000007
【図６ａ】
2004343754.tif 000008
【図６ｂ】
2004343754.tif 000009
【図７】
2004343754.tif 000010
【図８】
2004343754.tif 000011
【図９】
2004343754.tif 000012
【図１０】
2004343754.tif 000013
【図１１】
2004343754.tif 000014
【図１２】
2004343754.tif 000015
【図１３】
2004343754.tif 000016